(57)【要約】  本発明は、二焦点レンズモジュール、車両用ヘッドライト及び車両を提供する。二焦点レンズモジュールは、ロービーム集光器と、ハイビーム集光器と、隔板と、導光部と、光学レンズとを含み、隔板は、湾曲状端面と開口を有し、隔板の開口は光学レンズに向かい、ロービーム光源から射出された光線は、ロービーム集光器により集光され、隔板の上方位置から隔板の下方まで伝搬し、光学レンズの下部に到達し、ハイビーム光源から射出された光線は、ハイビーム集光器により集光され、隔板の下方位置から導光通路を通過して隔板の上方まで伝搬し、光学レンズの上部に到達する。【選択図】図２
2021532528.tif 000002
【特許請求の範囲】
【請求項１】
ロービーム集光器と、ハイビーム集光器と、光学レンズと、導光ユニットと、を含む二焦点レンズモジュールであって、
前記導光ユニットは、湾曲状端面と、前記湾曲状端面により取り囲まれた開口と、を有し、
前記導光ユニットは、導光通路と、前記導光通路に連通する光出口と、を有し、
光線は、前記導光通路内において斜め上方向に沿うとともに前記光学レンズの焦点が位置する方位に向かって伝搬して前記光出口を通過し、
少なくとも１つのロービーム光源から射出された光線は、前記ロービーム集光器により集光され、前記導光ユニットの上方から前記開口を通過して前記導光ユニットの下方まで伝搬し、前記光学レンズの下部に到達し、
少なくとも１つのハイビーム光源から射出された光線は、前記ハイビーム集光器により集光され、前記導光ユニットの下方から前記導光通路を通過して前記導光ユニットの上方まで伝搬し、前記光学レンズの上部に到達する、二焦点レンズモジュール。
【請求項２】
前記導光ユニットは、隔板と導光部とを含み、
前記開口は前記隔板に位置し、前記導光通路は前記導光部に位置し、前記光出口は、前記導光部に位置する、請求項１に記載の二焦点レンズモジュール。
【請求項３】
前記導光部は中実構造である、請求項２に記載の二焦点レンズモジュール。
【請求項４】
前記導光部は中空構造であり、前記導光通路は前記導光部を貫通する、請求項２に記載の二焦点レンズモジュール。
【請求項５】
前記導光ユニットは一体成形される、請求項１から４のいずれか１項に記載の二焦点レンズモジュール。
【請求項６】
前記導光ユニットは透明である、請求項１から４のいずれか１項に記載の二焦点レンズモジュール。
【請求項７】
前記導光ユニットは、透明プラスチックで作製される請求項６に記載の二焦点レンズモジュール。
【請求項８】
前記導光ユニットには、遮光層が設けられ、前記遮光層は、前記導光ユニットの上面に位置する、請求項１から４のいずれか１項に記載の二焦点レンズモジュール。
【請求項９】
前記導光ユニットの前記隔板は、不透明材料で作製される、請求項２から４のいずれか１項に記載の二焦点レンズモジュール。
【請求項１０】
前記導光ユニットは底面を有し、
前記光出口に近いほど、前記底面から前記光学レンズの中心軸線までの距離が小さくなる、請求項１から４のいずれか１項に記載の二焦点レンズモジュール。
【請求項１１】
請求項１から１０のいずれか１項に記載の二焦点レンズモジュールと、
前記導光ユニットの上側に配置され、前記二焦点レンズモジュールの上方で光線を発する少なくとも１つのロービーム光源であって、光線が前記ロービーム集光器により集光され、前記光学レンズの焦点を通過して前記光学レンズの下部に到達するロービーム光源と、
前記導光ユニットの下側に配置され、前記二焦点レンズモジュールの下方で光線を発する少なくとも１つのハイビーム光源であって、光線が前記ハイビーム集光器により集光され、前記光学レンズの焦点を通過して前記光学レンズの上部に到達するハイビーム光源と、
を含む、車両用ヘッドライト。
【請求項１２】
前記車両用ヘッドライトは、ロービーム使用モード及びハイビーム使用モードを有し、
前記ロービーム使用モードである場合、前記ロービーム光源は点灯され、前記ハイビーム使用モードである場合、前記ハイビーム光源と前記ロービーム光源とは同時に点灯され、
前記車両用ヘッドライトは、前記ロービーム使用モードと前記ハイビーム使用モードとの間で切り換えるように操作される、請求項１１に記載の車両用ヘッドライト。
【請求項１３】
前記ロービーム光源は、光線が前記導光ユニットの上方から前記導光ユニットの下方まで伝搬するように、前記導光ユニットに向かって前記導光ユニットの上側に斜めに配置され、
前記ハイビーム光源は、光線が前記導光ユニットの下方から前記導光ユニットの上方まで伝搬するように、前記導光ユニットに向かって前記導光ユニットの下側に斜めに配置される、請求項１１に記載の車両用ヘッドライト。
【発明の詳細な説明】
【技術分野】
【０００１】
本発明は、光学分野に関し、特に二焦点レンズ（Ｂｉｆｏｃａｌ  ｌｅｎｓ）モジュール、車両用ヘッドライト及び車両に関する。
【背景技術】
【０００２】
車両用ヘッドライトは自動車の目であり、夜間の運転や悪天候での安全運転と密接に関連している。現在、車両用ヘッドライトは主にＬＥＤ二焦点レンズを使用しており、移動可能な切換機構により、車両用ヘッドライトをロービームモードとハイビームモードの間で切換可能である。
【０００３】
具体的には、可動バッフルにより、ＬＥＤから射出されたハイビーム光を遮断してロービームを形成し、ハイビーム又はロービームにも関わらず、光源の動作周波数は一定に保持される。
しかし、このタイプの車両用ヘッドライトには多くの問題がある。夜間の運転時には、ロービームとハイビームの切換が頻繁であり、可動バッフルは、機械的構造及び／又は電子構造により光源を可動に遮断している。頻繁な使用下では、可動バッフルにはより高い信頼性が要求されるため、コストが増加する。また、ハイビームモード又はロービームモードにも関わらず、光源の動作周波数は常に同じであり、より高い出力が維持されるため、光源の耐用年数はある程度短縮される。
【発明の概要】
【０００４】
本発明の一目的は、二焦点レンズモジュール、車両用ヘッドライト及び車両を提供することである。前記車両用ヘッドライトは、ロービームモード及びハイビームモードに対応してそれぞれロービーム光源及びハイビーム光源を採用する。
【０００５】
本発明の別の目的は、二焦点レンズモジュール、車両用ヘッドライト及び車両を提供することである。本発明によれば、前記車両用ヘッドライトのロービームモードとハイビームモードとの間の切換のために、複雑な機械構造を利用する必要がない。
【０００６】
本発明の別の目的は、二焦点レンズモジュール、車両用ヘッドライト及び車両を提供することである。前記車両用ヘッドライトの部材は、集積化されているので、取り付け又は取り外しは便利である。
【０００７】
本発明の別の目的は、二焦点レンズモジュール、車両用ヘッドライト及び車両を提供することである。本発明によれば、前記車両用ヘッドライトの部材は軽量化され得る。
【０００８】
本発明の別の目的は、二焦点レンズモジュール、車両用ヘッドライト及び車両を提供することである。本発明によれば、前記車両用ヘッドライトが発光する過程において、ロービーム光源により発生する迷光は減少される。
【０００９】
本発明の一態様において、本発明は、ロービーム集光器と、ハイビーム集光器と、光学レンズと、導光ユニットと、を含む二焦点レンズモジュールであって、
前記導光ユニットは、湾曲状端面と、前記湾曲状端面により取り囲まれた開口と、を有し、
前記導光ユニットは、導光通路と、前記導光通路に連通する光出口と、を有し、
光線は、前記導光通路内において斜め上方向に沿うとともに前記光学レンズの焦点が位置する方位に向かって伝搬して前記光出口を通過し、
少なくとも１つのロービーム光源から射出された光線は、前記ロービーム集光器により集光され、前記導光ユニットの上方から前記開口を通過して前記導光ユニットの下方まで伝搬し、前記光学レンズの下部に到達し、
少なくとも１つのハイビーム光源から射出された光線は、前記ハイビーム集光器により集光され、前記導光ユニットの下方から前記導光通路を通過して前記導光ユニットの上方まで伝搬し、前記光学レンズの上部に到達する、二焦点レンズモジュールを提供する。
【図面の簡単な説明】
【００１０】
【図１】本発明の好ましい実施例の二焦点レンズモジュールの模式図である。
【図２】本発明の上記好ましい実施例の前記二焦点レンズモジュールの模式図である。
【図３】本発明の上記好ましい実施例の二焦点レンズモジュールの導光ユニットを光学レンズの側から観察した模式図である。
【図４】本発明の上記好ましい実施例の前記二焦点レンズモジュールの使用模式図である。
【図５Ａ】本発明の上記好ましい実施例の前記二焦点レンズモジュールの使用過程におけるロービームのスクリーン上での光分布である。
【図５Ｂ】本発明の上記好ましい実施例の前記二焦点レンズモジュールのロービームの使用過程における光線模式図である。
【図６Ａ】本発明の上記好ましい実施例の前記二焦点レンズモジュールの使用過程におけるハイビームのスクリーン上での光分布である。
【図６Ｂ】本発明の上記好ましい実施例の前記二焦点レンズモジュールのハイビームの使用過程における光線模式図である。
【図７】本発明の上記好ましい実施例の前記二焦点レンズモジュールの別の実施形態の模式図である。
【図８】本発明の上記好ましい実施例の前記二焦点レンズモジュールの別の実施形態の模式図である。
【発明を実施するための形態】
【００１１】
以下、本発明を当業者が実施できるように紹介する。以下の説明における好適実施例は単なる例示であり、当業者は、好適実施例に基づいて改良又は修正を加えることができる。以下の説明で定義される本発明の基本原理は、他の実施方式、変形方式、改良方式、同等方式及び本発明の精神及び範囲から逸脱しない他の技術方式に適用できる。
【００１２】
当業者に理解されたいのは、本発明の実施例を説明するための用語として、「縦方向」、「横方向」、「上」、「下」、「前」、「後」、「左」、「右」、「鉛直」、「水平」、「頂」、「底」、「内」、「外」等が用いられる。これらの用語で示される方位は、図面で示される方位に基づき、本発明を分かりやすく説明するためのものであり、言及された装置又は部品が必ずしも特定の方向、特定の方向で構成され又は操作されるものではなく、本発明を限定するものではない。
【００１３】
また、用語「一」は、「少なくとも１つ」又は「１つ又は複数」であることを理解されたい。即ち、ある実施例において、素子の数量が１つである場合、他の実施例において、当該素子の数量が複数であってもよい。用語「一」は、数量を限定するものではない。
【００１４】
図１から図６Ｂに示すように、本発明の実施例によれば、二焦点レンズモジュール１は開示される。前記二焦点レンズモジュール１は、ロービーム光源２と、ハイビーム光源３と組み合わせて使用することにより異なる使用モードでロービーム及びハイビームを提供する。
【００１５】
具体的には、前記二焦点レンズモジュール１は、ロービーム集光器１０と、ハイビーム集光器２０と、導光ユニット３０と、光学レンズ４０とを含む。前記ロービーム光源２は前記ロービーム集光器１０に設けられ、前記ロービーム光源２から射出された光線は、前記ロービーム集光器１０に入射されて前記光学レンズ４０まで放射される。これに対応して、前記ハイビーム光源３はハイビーム集光器２０に設けられ、前記ハイビーム光源３から射出された光線は、前記ハイビーム集光器２０に入射されて前記光学レンズ４０まで放射される。
【００１６】
図２に示すように、前記導光ユニット３０は、隔板３１と、導光部３２と、を含む。ここで、前記隔板３１は、前記ロービーム集光器１０と、前記ハイビーム集光器２０との間に位置し、前記ロービーム集光器１０を前記隔板３１の上側に維持するとともに前記ハイビーム集光器２０を前記隔板３１の下側に維持するように、ロービームのカットオフラインを形成するために用いられる。前記導光部３２は、前記隔板３１の下方に位置する。前記ハイビーム光源３から射出された光線は、前記導光部３２に形成される導光通路３２０を通過し、さらに前記隔板３１を通過して前記光学レンズ４０に到達する。
【００１７】
より詳しく説明すると、前記ロービーム集光器１０は、前記隔板３１の上側に位置する。前記ハイビーム集光器２０は、前記隔板３１の下側に位置する。前記ロービーム光源２から射出された光線は、上から下へと斜めに前記隔板３１を通って前記光学レンズ４０を通過する。
【００１８】
前記ハイビーム光源３から射出された光線は、下から上へと前記導光部３２の前記導光通路３２０を通過し、次いで前記隔板３１を通って前記光学レンズ４０を通過する。
【００１９】
前記導光ユニット３０は、湾曲状端面３１１と、前記湾曲状端面３１１によって取り囲まれた開口３１２とを有する。前記導光ユニット３０は、前記導光通路３２０と、前記導光通路３２０に連通する光出口３２０２とを有する。ここで、光線は、前記導光通路３２０内において斜め上方向に沿うとともに前記光学レンズ４０の焦点が位置する方位に向かって伝搬して前記光出口３２０２を通過することができる。前記ロービーム光源２から射出された光線は、前記ロービーム集光器１０により集光され、前記導光ユニット３０の上方から前記開口３１２を通過して前記導光ユニット３０の下方まで伝搬し、前記光学レンズ４０の下部に到達する。前記ハイビーム光源３から射出された光線は、前記ハイビーム集光器２０により集光され、前記導光ユニット３０の下方から前記導光通路３２０を通過して前記導光ユニット３０の上方まで伝搬し、前記光学レンズ４０の上部に到達する。
【００２０】
具体的には、前記隔板３１は、前記湾曲状端面３１１と前記開口３１２を有し、前記湾曲状端面３１１によって前記開口３１２が形成され、前記ロービーム光源２から射出された光線は、前記開口３１２を通過し、前記隔板３１の作用下でロービームカットオフラインを形成することができる。
【００２１】
前記ハイビーム光源３から射出された光線は、前記開口３１２を通過し、次いで前記光学レンズ４０に到達し、前記光学レンズ４０を通過して外へ放射される。
【００２２】
前記開口３１２は、Ｕ字状開口であってもよい。本実施形態の他の実施例において、前記開口３１２に対応する前記湾曲状端面３１１の曲率は、中間位置から両縁位置に向かって大きくなるか又は小さくなる。前記湾曲状端面３１１は、起伏形状、例えば、波状であってもよい。上記説明は例示的なものに過ぎないことを当業者は理解できるべきである。
【００２３】
なお、前記ロービーム光源２が斜め下向きに設けられ、前記ロービーム集光器１０が斜め下向きに設けられることにより、前記ロービーム光源２から射出された光線は、前記ロービーム集光器１０を通過した後、斜め下方向に沿って前記光学レンズ４０の下部に到達することができる。前記ハイビーム光源３が斜め上向きに設けられ、前記ハイビーム集光器２０が斜め上向きに設けられることにより、前記ハイビーム光源３から射出された光線は、前記ハイビーム集光器２０を通過した後、斜め上方向に沿って前記光学レンズ４０の上部に到達することができる。なお、ここにいう斜め上向き又は斜め下向きは、前記隔板３１を基準とするものである。
【００２４】
前記ロービーム光源２及び前記ハイビーム光源３は、傾斜して設けられなくてもよい。例えば、前記ロービーム光源２及び前記ハイビーム光源３は、鉛直方向の光線を放射するようにそれぞれ鉛直に設けられてもよい。前記ロービーム光源２及び前記ハイビーム光源３は、それぞれ前記隔板３１の上側と下側に位置してもよい。前記ロービーム集光器１０及び前記ハイビーム集光器２０は、それぞれ傾斜して設けられてもよい。これによって、前記ロービーム光源２から射出された光線が前記ロービーム集光器１０によって集光又は反射された後、斜め下向きに前記光学レンズ４０に向かって伝搬し、前記ハイビーム光源３から射出された光線が前記ハイビーム集光器２０によって集光又は反射された後、斜め上向きに前記光学レンズ４０に向かって伝搬し得る。
【００２５】
前記ロービーム光源２から射出された光線は、前記隔板３１の上方から前記隔板３１の前記開口３１２を通過し、前記隔板３１の下方に到達し、次いで前記光学レンズ４０の下部に到達することにより、ロービーム効果が達成される。
【００２６】
前記ハイビーム光源３から射出された光線は、前記隔板３１の下方から前記隔板３１の前記開口３１２を通過し、前記隔板３１の上方に到達し、次いで前記光学レンズ４０の上部に到達することにより、ハイビーム効果が達成される。
【００２７】
前記導光部３２は、前記隔板３１の下方に位置し、前記導光通路３２０が形成される。前記ハイビーム光源３から射出された光線は、前記導光通路３２０内において斜め上向きの光路に沿って伝搬し、前記隔板３１を通過し、前記光学レンズ４０に到達する。
【００２８】
前記導光部３２は、内壁を有する。前記導光部３２の前記内壁及び前記隔板３１によって前記導光通路３２０が形成される。前記導光部３２の前記内壁及び前記隔板３１によって前記光出口３２０２が形成される。前記導光部３２の前記光出口３２０２を通過した前記ハイビーム光源３から射出された光線の少なくとも一部は、前記隔板３１の前記開口３１２を通過する。なお、前記光出口３２０２は、前記導光部３２のみによって形成されてもよい。
【００２９】
理解され得るように、前記光出口３２０２は、実体物によって取り囲まれた空間であってもよく、仮想の出口であってもよい。例えば、前記導光部３２が透明材料で作製される場合、光線は、前記導光部３２を直接通過することができる。つまり、前記導光部３２は、中実構造であってもよい。この場合、光線は前記導光部３２内において全反射され、前記光出口３２０２の位置より前記導光部３２から離れる。前記導光部３２は、中空構造であってもよい。この場合、光線は前記導光通路３２０内において伝搬し、前記光出口３２０２の位置より前記導光部３２から離れる。
【００３０】
前記導光部３２が中空構造である場合、前記導光部３２の内壁に反射塗層が塗布されてもよい。これによって光線は、前記導光通路３２０内において前記光出口３２０２に向かって伝搬することができる。好ましくは、前記導光部３２にはアルミ層がメッキされる。
【００３１】
前記二焦点レンズモジュール１は、車両１０００に使用される場合、ロービーム使用モード及びハイビーム使用モードを有し、前記ロービーム使用モードと前記ハイビーム使用モードとが切替可能である。前記ロービーム使用モードである場合、前記ロービーム光源２は点灯され、前記ロービーム光源２から射出された光線は前記ロービーム集光器１０を通過して前記隔板３１を通過し、前記光学レンズ４０の下部に到達することにより、明暗が分かれているロービームが形成される。
【００３２】
前記ハイビーム使用モードである場合、前記ロービーム光源２と前記ハイビーム光源３は同時に点灯され、前記ロービーム光源２から射出された光線は、前記ロービーム集光器１０を通過し、そして前記隔板３１を通過し、前記光学レンズ４０の下部に到達する。前記ハイビーム光源３から射出された光線は、前記ハイビーム集光器２０を通過し、そして順に前記導光部３２、前記隔板３１を通過し、前記光学レンズ４０の上部に達することにより、ハイビーム効果が達成される。
【００３３】
前記ロービーム使用モードでの効果図は図５Ａに示され、前記ハイビーム使用モードでの効果図は図６Ａに示される。
【００３４】
前記ハイビーム使用モードにある場合、前記ロービーム光源２と前記ハイビーム光源３が同時に点灯され、前記ロービーム光源２から射出された光線が斜め下向きに伝搬し、前記ハイビーム光源３から射出された光線が斜め上向きに伝搬するため、前記ロービーム光源２から射出された光線は、前記ハイビーム光源３から射出された光線を干渉する可能性がある。
【００３５】
本実施例において、前記導光部３２は、透明材質であり、前記隔板３１と組み合わせて設計されることにより、前記ロービーム光源２からの光線が前記隔板３１を通過するときに発生する迷光が減少され、前記ハイビーム使用モード下で最終的に形成されるハイビームの効果に有利である。
【００３６】
さらに、前記二焦点レンズモジュール１は、使用過程において水平なカットオフラインを形成できるだけでなく、ある角度を有するカットオフラインを形成できる。
【００３７】
具体的には、図３に示すように、前記導光ユニット３０の前記隔板３１は、上面３１１１と下面３１１２を有し、前記隔板３１の前記上面３１１１と前記下表面３１１２とは対応して設けられ、前記隔板３１が水平位置に位置する場合、前記隔板３１の前記湾曲状端面３１１は水平なカットオフラインを形成するために用いられる。前記隔板３１の前記上面３１１１は傾斜面３１１１１となるように形成される。前記傾斜面３１１１１と水平位置とが例えば、１５度、４５度又は９０度の角度をなすことにより、最後の光照射効果には傾斜したカットオフラインが得られる。
【００３８】
さらに、前記導光ユニット３０の前記隔板３１に形成される前記開口３１２は、前記光学レンズ４０の中心軸線に沿って均等に分割されてもよい。前記光学レンズ４０の中心軸線は、前記光学レンズ４０の中心及び焦点を通る軸線を指す。
【００３９】
さらに、前記傾斜面３１１１１は、前記光学レンズ４０の前記中心軸線の片側に位置する。前記導光ユニット３０から前記光学レンズ４０の片側に沿って観察すると、前記導光ユニット３０の前記隔板３１の前記上面３１１１に段差を観察することができる。
【００４０】
前記二焦点レンズモジュール１は、焦点Ｏを有し、前記焦点Ｏは、前記二焦点レンズモジュール１の前記光学レンズ４０の後方であって前記隔板３１がある位置に位置する。
【００４１】
前記ロービーム光源２から射出された光線の少なくとも一部は前記焦点Ｏに集まる。前記ハイビーム光源３から射出された光線の少なくとも一部は前記焦点Ｏに集まり、前記ハイビームを形成する。
【００４２】
前記ロービーム集光器１０及び前記ハイビーム集光器２０はそれぞれ集光作用を奏することができる。前記ロービーム集光器１０の光反射面は、前記ロービーム光源２から射出された光線が斜め下向きに集光されるように傾斜して設けられる。前記ハイビーム集光器２０の光反射面は、前記ハイビーム光源３から射出された光線が斜め上向きに集光されるように傾斜して設けられる。
【００４３】
理解され得るように、前記ロービーム集光器１０の前記光反射面は、曲面であってもよく、前記ハイビーム集光器２０の前記光反射面は、曲面であってもよい。
【００４４】
前記二焦点レンズモジュール１の前記焦点Ｏは、前記隔板３１の前記開口３１２の位置に位置してもよい。
【００４５】
本発明の他の実施例において、前記隔板３１は、不透明材質、例えば、金属材質又は他の材質で作製されてもよい。前記ロービーム光源２から射出された光線は、前記隔板３１の上側から前記隔板３１の上側に伝搬し、少なくとも一部分が前記二焦点レンズモジュール１の焦点Ｏに集まる。
【００４６】
前記隔板３１が不透明材質である場合、光線に対する影響を低減するために、その厚さを薄く（例えば、１ｍｍ以下）設けてもよい。
【００４７】
前記ロービーム集光器１０の位置、前記隔板３１の位置、及び前記二焦点レンズモジュール１の位置は、前記ロービーム光源２から射出された光線が前記ロービーム集光器１０で反射された後、前記隔板３１を通過して前記焦点Ｏに集まり、そして前記二焦点レンズモジュール１に到達し、カットオフラインを有する光効果が達成されるように設けられる必要がある。
【００４８】
前記隔板３１の前記湾曲状端面３１１は角度を有することにより、ロービーム光源２からの光線の伝搬及び伝搬効果に有利である。さらに、前記湾曲状端面３１１と、前記隔板３１が位置する平面とは、鋭角をなしてもよい。
【００４９】
具体的には、前記ロービーム光源２からの光線の少なくとも一部が前記隔板３１の前記開口３１２を通過するときに、前記湾曲状端面３１１は、ある程度の遮断作用を奏することができるので、前記ロービームのカットオフラインが形成される。
【００５０】
前記ロービーム光源２が前記隔板３１を通過するときに、光線は、傾斜して前記開口３１２を通過する。前記湾曲状端面３１１は、傾斜の角度が光線の伝搬方向とほぼ一致するように傾斜して設けられる。これによって、この位置に発生する迷光が減少される。
【００５１】
前記湾曲状端面３１１の角度の大きさは、切削又は切断プロセスにより制御することができる。例えば、完全な隔板３１が得られた後、前記二焦点レンズモジュール１全体の結像効果に基づいて、切削又は切断プロセスにより前記湾曲状端面３１１の角度の大きさを制御することができる。
【００５２】
さらに、前記ハイビーム光源３から射出された光線の少なくとも一部は、前記導光部３２を通過して前記焦点Ｏに集まり、そして前記光学レンズ４０の上部に到達する。
【００５３】
前記導光部３２の前記光出口３２０２は前記開口３１２の近傍に位置し、これによって、前記光出口３２０２から傾斜して射出された光線は、前記開口３１２を通過して前記光学レンズ４０の上部に到達することができる。
【００５４】
なお、前記導光部３２の前記光出口３２０２は、前記隔板３１の前記開口３１２の下方に位置し、前記導光部３２の前記光出口３２０２と、前記開口３１２が形成される前記湾曲状端面３１１の中間位置とは、同一の鉛直方向に位置することができる。前記湾曲状端面３１１の前記中間位置は、前記湾曲状端面３１１の前記光学レンズ４０から最も遠い位置を指す。
【００５５】
本発明のいくつかの実施例において、前記導光部３２の前記光出口３２０２は、前記隔板３１の前記開口３１２の下方に位置し、かつ前記導光部３２の前記光出口３２０２と前記光学レンズ４０との間の距離は、前記開口３１２が形成される前記湾曲状端面３１１の前記中間位置と前記光学レンズ４０との間の距離よりもやや小さくてもよい。或いは、前記導光部３２の前記光出口３２０２は、前記隔板３１の前記開口３１２の下方に位置し、かつ前記導光部３２の前記光出口３２０２と前記光学レンズ４０との間の距離は、前記光学レンズ４０の焦点距離と等しくてもよい。
【００５６】
前記導光通路３２０は、前記隔板３１と前記導光部３２の前記内壁との間に形成され、かつ前記導光通路３２０の断面は、前記光出口３２０２に近いほど小さくなるように設けられる。
【００５７】
前記ハイビーム集光器２０の作用下で、前記ハイビーム光源３から射出された光線は、斜め上方向に沿って伝搬し、主に前記光学レンズ４０の前記焦点Ｏ位置に集まるため、前記ハイビーム光源３の伝搬経路は、主にハイビーム光源３から近いところが狭く、ハイビーム光源３から遠いところが広い。つまり、前記ハイビーム集光器２０に近いほど、光通過経路は広くなり、前記光出口３２０２に近いほど、光通過経路は狭くなる。
【００５８】
さらに、本実施例において、前記導光部３２は、２つの側翼３２１及び底板３２２を有し、２つの側翼３２１は、それぞれ前記底板３２２の両側に位置し、前記光入口３２０１及び前記光出口３２０２は、それぞれ前記底板３２２の両側に位置する。前記底板３２２は、前記隔板３１の下方に位置し、前記底板３２２と前記隔板３１とは、距離を空けて配置され、前記光出口３２０２に近いほど、前記底板３２２と前記隔板３１との間の距離は小さくなる。
【００５９】
言い換えると、前記導光ユニット３０は、底面３０１を有し、前記底面３０１は、前記導光部３２の前記底板３２２の外面である。前記光出口３２０２に近いほど、前記導光ユニット３０の前記底面３０１から前記光学レンズ４０の中心軸線までの距離は小さくなる。
【００６０】
なお、前記導光部３２が中実構造である場合、前記導光部３２は、前記光出口３２０２に近いほど、前記導光部３２の断面が小さくなるように設けられる。前記導光部３２が中空構造である場合、前記導光部３２の前記導光通路３２０は、前記光出口３２０２に近いほど、前記導光通路３２０の内径が小さくなるように設けられる。
【００６１】
前記導光部３２は、取付板３２３を含んでもよい。前記光入口３２０１は、前記取付板３２３に形成され、前記取付板３２３は、前記底板３２２の片側に位置し、前記取付板３２３と前記底板３２２とは、ある角度の夾角をなす。
【００６２】
本実施例において、前記底板３２２は曲状板であり、前記底板３２２の表面は曲面である。前記ハイビーム集光器２０は、前記取付板３２３に取り付けられる。
【００６３】
本発明の他の実施例において、前記底板３２２は平面板であり、前記底板３２２の表面は平面である。
【００６４】
前記導光部３２は、全体として逆三角形構造であり、前記逆三角形構造は、直角であってもよく、丸角であってもよい。
【００６５】
さらに、前記導光部３２の構造は、前記ハイビーム光源３から射出された光線の経路と一致するように設計される。これによって、前記ハイビーム光源３から射出された光線は、前記導光部３２を通過した後、ほとんど前記光学レンズ４０の前記焦点Ｏを通り、前記光学レンズ４０に到達して結像することができる。
【００６６】
さらに、本実施例において、前記ハイビーム光源３は、対称的に設けられる。これによって、最後の光照射効果に有利である。例えば、前記隔板３１は、軸対称構造であり、前記光学レンズ４０の中心軸線を境界として、複数の前記ハイビーム光源３は、対称的に配置される。本実施例において、前記ハイビーム光源３の数は３つである。
【００６７】
前記ロービーム光源２は、対称的に設けられる。これによって、最後の光照射効果に有利である。例えば、前記隔板３１の軸線を境界として、複数の前記ロービーム光源２は、対称的に配置される。本実施例において、前記ロービーム光源２の数は６つである。
【００６８】
当業者に理解され得るように、ここに言う前記ハイビーム光源３及び前記ロービーム光源２の数は例示的なものに過ぎず、本発明を制限するものではなく、当業者は、必要に応じて前記ロービーム光源２及び前記ハイビーム光源３の数を調整することができる。
【００６９】
さらに、前記ロービーム集光器１０と前記ロービーム光源２は対応して設けられる。例えば、１つの前記ロービーム光源２は、１つの前記ロービーム集光器１０に対応して設けられてもよい。複数の前記ロービーム光源２は、１つの前記ロービーム集光器１０に対応して設けられてもよい。前記ロービーム集光器１０の数が複数である場合、隣り合う前記ロービーム集光器１０は互いに独立してもよいが、互いに連通してもよい。
【００７０】
前記ハイビーム集光器２０と前記ハイビーム光源３とは対応して設けられる。例えば、１つの前記ハイビーム光源３は、１つの前記ハイビーム集光器２０に対応して設けられてもよい。複数の前記ハイビーム光源３は、１つの前記ハイビーム集光器２０に対応して設けられてもよい。前記ハイビーム集光器２０の数が複数である場合、隣り合う前記ハイビーム集光器２０は互いに独立してもよいが、互いに連通してもよい。
【００７１】
さらに、本実施例において、前記隔板３１は、一体成形されてもよく、切断などにより成形されてもよい。
【００７２】
前記隔板３１は、金属材料であってもよい。例えば、矩形金属材料を用いて切断により前記開口３１２を形成することにより形成されてもよく、直接鋳造成形により形成されてもよい。前記隔板３１は、上面にアルミがメッキされてもよく、これによって、光入射効率が向上し、最後の光照射効果に有利である。
【００７３】
本発明の他の態様において、本発明は、車両１０００を提供する。前記車両１０００は、車両本体２００と少なくとも１つの車両用ヘッドライト１００とを含む。前記車両用ヘッドライト１００は、前記車両本体２００の前部に取り付けられる。前記車両用ヘッドライト１００は、前記ハイビーム光源３と、前記ロービーム光源２と、前記二焦点レンズモジュール１とを含む。前記二焦点レンズモジュール１は、前記ロービーム使用モードと前記ハイビーム使用モードの２つの使用モードを有する。前記ロービーム使用モードにある場合、前記ロービーム光源２は点灯され、前記ロービーム光源２から射出された光線は、前記二焦点レンズモジュール１の前記光学レンズ４０を通過する。前記ハイビーム使用モードにある場合、前記ロービーム光源２及び前記ハイビーム光源３はそれぞれ点灯され、前記ハイビーム光源３から射出された光線は、前記二焦点レンズモジュール１の前記光学レンズ４０の下部を通過し、前記ロービーム光源２から射出された光線は、前記二焦点レンズモジュール１の前記光学レンズ４０の上部を通過する。
【００７４】
本発明の他の態様において、本発明は、前記車両用ヘッドライト１００を提供する。前記車両用ヘッドライト１００は、前記ロービーム光源２と、前記ハイビーム光源３と、前記二焦点レンズモジュール１とを含む。前記ロービーム光源２及び前記ハイビーム光源３は、所望の光照射効果を達成するために、それぞれ所定の位置に従って前記二焦点レンズモジュール１に取り付けられる。理解され得るように、前記ロービーム光源２及び前記ハイビーム光源３は、前記二焦点レンズモジュール１に取り付けられなくてもよい。前記ロービーム光源２、前記ハイビーム光源３及び前記二焦点レンズモジュール１は、所望の設計に従ってそれぞれの位置に配置されてもよい。つまり、前記ロービーム光源２、前記ハイビーム光源３及び前記二焦点レンズモジュール１は、他の方式により相対的に固定的な位置に保持されてもよい。これによって、前記車両用ヘッドライト１００は全体として所望の光照射効果が達成される。
【００７５】
図７は、本発明の前記二焦点レンズモジュール１の他の実施形態を示す。
【００７６】
本実施例において、前記二焦点レンズモジュール１の前記隔板３１及び前記導光部３２は、いずれも透明であり、かつ前記隔板３１は、上面及び下面を有し、前記隔板３１の前記上面及び前記下面は、対向して設けられる。
【００７７】
前記導光部３２は、前記隔板３１の前記下面に位置する。前記隔板３１の前記上面には遮光層３３が設けられる。
【００７８】
前記ロービーム光源２は、前記隔板３１の上方から下へ前記隔板３１の前記開口３１２を通過する。前記ロービーム光源２から射出された光線は、前記ロービーム集光器１０を通過した後、前記隔板３１を直接透過するので、前記隔板３１の下方の前記ハイビーム光源３から射出された光線を干渉する可能性がある。前記隔板３１の前記上面に前記遮光層３３を設けることにより、前記ロービーム光源２による前記隔板３１の位置に発生する迷光の減少に有利である。
【００７９】
また、前記ハイビームモードにある場合、前記ロービーム光源２から射出された光線は、上から下へと前記光学レンズ４０まで伝搬し、前記ハイビーム光源３から射出された光線は、下から上へと前記光学レンズ４０まで伝搬する。前記隔板３１及び前記導光部３２はいずれも透明であるので、前記隔板３１の前記遮光層３３は、前記ロービーム光源２から射出された光線が上から下へと伝搬し、前記隔板３１を透過することで前記隔板３１の位置に迷光が発生し、ハイビームを干渉することを低減できるだけでなく、前記ハイビーム光源３から射出された光線が下から上へと伝搬し、前記隔板３１を透過することで前記隔板３１の位置に迷光が発生し、ロービームを干渉することを低減できる。
【００８０】
本発明のいくつかの実施例において、前記隔板３１と前記導光部３２とは一体成形され、例えば、鋳型プロセスにより一体成形される。前記隔板３１及び前記導光部３２は透明である。このようにして一体成形された前記隔板３１及び前記導光部３２は、前記二焦点レンズモジュール１全体の取付に有利であり、いくつかの小さな取付部品を使用する必要がない。
【００８１】
本発明の他の実施例において、前記隔板３１及び前記導光部３２の材料は同じである。しかし、前記隔板３１及び前記導光部３２は分割成形される。
【００８２】
本発明の他の実施例において、前記隔板３１及び前記導光部３２の材料は透明材料ではない。また、穴開け又は一体成形などにより前記導光部３２に前記導光通路３２０が形成される。つまり、前記導光部３２は中空である。前記導光部３２の内壁には塗層が塗布され、例えば、アルミメッキされてもよい。前記導光部３２は、透明な中空構造であってもよく、その内壁にも塗層が塗布され、例えば、アルミメッキされてもよい。
【００８３】
図８は、本発明の前記二焦点レンズモジュール１の別の実施形態を示す。
【００８４】
本実施例において、前記二焦点レンズモジュール１の前記隔板３１は上記実施例の前記隔板３１と相違する。
【００８５】
本実施例において、前記隔板３１の前記上面３１１１は波形構造である。つまり、前記隔板３１の前記上面３１１１は起伏しており、これによって、前記隔板３１の前記上面３１１１の各位置の反射率は異なる。
【００８６】
前記ロービーム光源２０から射出された光線の一部が前記隔板３１の前記上面３１１１に照射されるときに、必要に応じて反射される。
【００８７】
なお、前記隔板３１の前記上面３１１１は、ユーザの需要に応じて設計することができる。例えば、所望の光学効果を達するために、異なる塗層を塗布することなどにより異なる形状に設計される。
【００８８】
本発明の他の実施例において、前記隔板３１は前記開口３１２を有し、前記隔板３１は中空設計である。なお、前記隔板３１は、主に前記開口３１２により最後の光照射効果を制限するため、前記開口３１２をそのまま維持しながら、必要に応じて前記隔板３１の形状を設計することができる。前記隔板３１は、より大きく又は小さく設計されてもよい。
【００８９】
例えば、前記隔板３１は、矩形構造に前記開口３１２が形成された構造、三角形構造に前記開口３１２が形成された構造、又は円形構造に前記開口３１２が形成された構造であってもよい。
【００９０】
なお、前記光学レンズ４０は、光入射面と光出射面を有する。前記光学レンズ４０の前記光入射面は、光線を受けるために用いられ、前記光出射面は、光線を射出するために用いられる。前記光学レンズ４０の前記光入射面及び前記光出射面は、いずれも曲面であり、かつ前記光入射面は、凹凸であってもよい。つまり、前記光学レンズ４０の光進入側には複数の穴が形成されてもよい。
【００９１】
本発明の別の態様において、本発明は、前記二焦点レンズモジュール１の組立方法を提供する。前記組立方法は、
前記ロービーム光源２、前記ハイビーム光源３、前記隔板３１、前記導光部３２、及び前記二焦点レンズモジュール１をそれぞれ固定的な位置に維持するステップと、
光照射効果を検出するステップと、
所望の光照射効果を満足していない場合、所望の光照射効果が得られるまで、前記ロービーム光源２、前記ハイビーム光源３、前記隔板３１、前記導光部３２及び前記光学レンズ４０のうちの少なくとも１つの位置を調整するステップと、を含む。
【００９２】
本発明のいくつかの実施例によれば、前記方法において、所望の光照射効果を満足していない場合、所望の光照射効果が得られるまで、前記ロービーム集光器１０の曲率を調整する。
【００９３】
本発明のいくつかの実施例によれば、前記方法において、前記ロービーム使用モードでの光照射効果を検出する。所望の光照射効果を満足していない場合、前記ロービーム光源２、前記隔板３１、前記導光部３２及び前記光学レンズ４０のうちの少なくとも１つの位置を調整する。
【００９４】
本発明のいくつかの実施例によれば、前記方法において、前記ロービーム使用モードでの光照射効果を検出する。所望の光照射効果を満足していない場合、前記ロービーム集光器１０の曲率を調整する。
【００９５】
本発明のいくつかの実施例によれば、前記方法において、前記ハイビーム使用モードでの光照射効果を検出する。所望の光照射効果を満足していない場合、前記ロービーム光源２、前記ハイビーム光源３、前記隔板３１、前記導光部３２及び前記光学レンズ４０のうちの少なくとも１つの位置を調整する。
【００９６】
本発明のいくつかの実施例によれば、前記方法において、前記ハイビーム使用モードでの光照射効果を検出する。所望の光照射効果を満足していない場合、所望の光照射効果が得られるまで、前記ハイビーム集光器１０の曲率を調整する。
【００９７】
本発明のいくつかの実施例によれば、前記方法において、前記隔板３１と前記導光部３２の相対的位置が変わらないように前記隔板３１と前記導光部３２を固定する。
【００９８】
本発明のいくつかの実施例によれば、前記方法において、前記隔板３１と前記導光部３２とは一体成形される。
【００９９】
本発明のいくつかの実施例によれば、前記方法において、前記隔板３１と前記導光部３２の相対的な位置を変化させることにより、前記隔板３１の前記開口３１２と前記導光部３２の前記光出口３２０２の相対的な位置を変える。
【０１００】
上記説明及び図面に示される本発明の実施例は例示的なものに過ぎず、本発明を制限するものではないことを、当業者は理解すべきである。本発明の目的は完全かつ効果的に実現されている。本発明の機能及び構造原理は、実施例に例示及び説明されており、前記原理から逸脱しない限り、本発明の実施形態を任意に変形又は修正することができる。
【図１】
2021532528.tif 000003
【図２】
2021532528.tif 000004
【図３】
2021532528.tif 000005
【図４】
2021532528.tif 000006
【図５Ａ】
2021532528.tif 000007
【図５Ｂ】
2021532528.tif 000008
【図６Ａ】
2021532528.tif 000009
【図６Ｂ】
2021532528.tif 000010
【図７】
2021532528.tif 000011
【図８】
2021532528.tif 000012
【国際調査報告】
2021532528.tif 000013
2021532528.tif 000014
2021532528.tif 000015
2021532528.tif 000016